(57)【要約】【課題】本発明は除湿装置に関するもので、水槽の厚みを薄くして軽量化を図ることものである。【解決手段】そしてこの目的を達成するために本発明は、吸気口１と排気口２を有する本体ケース３と、この本体ケース３内に設けられた除湿手段と、この除湿手段の下部に設けたドレン手段１５を備え、このドレン手段１５は上部が開口した箱状の水槽１６と、この水槽１６の中央部に水槽１６の底面と両側面を覆うコの字状の固定枠１８と、この固定枠１８の両端付近に回転自在に設けた取っ手部１７と、水槽の上部開口に着脱可能に設けられた蓋部１９とから形成し、ドレン手段１５は本体ケース３の側面の開口より着脱可能で、固定枠１８はポリオレフィン系樹脂である。【選択図】図３
2010099548.tif 000002
【特許請求の範囲】
【請求項１】
吸気口と排気口を有する本体ケースと、この本体ケース内に設けられた除湿手段と、この除湿手段の下部に設けたドレン手段を備え、このドレン手段は上部が開口した箱状の水槽と、この水槽の中央部に前記水槽の底面と両側面を覆うコの字状の固定枠と、この固定枠の両端付近に回転自在に設けた取っ手部と、前記水槽の上部開口に着脱可能に設けられた蓋部とから形成し、前記ドレン手段は前記本体ケースの側面の開口より着脱可能で、前記固定枠はポリオレフィン系樹脂である除湿装置。
【請求項２】
固定枠の材質はポリプロピレン（ＰＰ）またはポリスチレン（ＰＳ）である請求項１記載の除湿装置。
【請求項３】
水槽の材質はアクリロニトリルブタジエンスチレン（ＡＢＳ）、ゼネラルパーパスポリスチレン（ＧＰＰＳ）またはポリスチレン（ＰＳ）である請求項１記載の除湿装置。
【請求項４】
固定枠は、前記水槽の中央部で前記水槽の底面と両側面に設けた溝部に勘合し、この溝部に設けられた複数の爪部により固定される請求項１〜３のいずれかに記載の除湿装置。
【請求項５】
水槽に設けられた前記爪部は前記水槽の両側面溝部の片側に設けられた請求項４記載の除湿装置。
【請求項６】
水槽に設けられた前記爪部は前記水槽が前記本体ケースの側面の前記開口より装着された場合に、手前側に位置する前記側面溝部に設けられた請求項５記載の除湿装置。
【請求項７】
取っ手部は略Ｕの字状で両端付近の外面側に円柱形状の取っ手軸部と、この取っ手軸部の先端には取っ手保持部を備え、この取っ手保持部は円盤状の引掛り部と、この引掛り部の外周の一部に設けた略半円形状の抜け止め部とから形成され、前記固定枠の両端付近に前記取っ手保持部と同形状で、前記引掛り部が挿入可能な引掛り孔部と、前記抜け止め部が挿入可能な抜け止め孔部からなる取っ手保持孔部を備え、この取っ手保持孔部には前記引掛り部が特定の角度のみで挿入可能であって、前記取っ手保持孔部の前記抜け止め孔部は、前記引掛り孔部の下部に位置し、前記取っ手部が水平状態で前記取っ手保持部を前記取っ手保持孔部に挿入可能であり、前記固定枠を前記水槽に装着すると前記抜け止め孔部は前記水槽によって塞がれる請求項１〜６のいずれかに記載の除湿装置。
【請求項８】
固定枠の前記取っ手保持孔部の周囲厚みが、他の固定枠の厚みより分厚い請求項１〜７のいずれかに記載の除湿装置。
【請求項９】
取っ手部の材質はアクリロニトリルブタジエンスチレン（ＡＢＳ）である請求項１〜８のいずれかに記載の除湿装置。
【請求項１０】
固定枠の前記水槽の底面を覆う部分に複数のリブを備えた請求項１〜９のいずれかに記載の除湿装置。
【発明の詳細な説明】
【技術分野】
【０００１】
本発明は、ヒートポンプを活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられた除湿手段と、この除湿手段の下部に設けたドレン手段を備え、このドレン手段は上部が開口した箱状の水槽と、この水槽の中央部の両端付近に回転自在に設けた取っ手部と、前記水槽の上部開口に着脱可能に設けられた蓋部とから形成し、前記ドレン手段は前記本体ケースの側面の開口より着脱可能な構成となっていた。
【０００４】
例えば、これに類似する先行文献は下記特許文献１に記載されている。
【特許文献１】特開２００８−２００５９６号公報
【発明の開示】
【発明が解決しようとする課題】
【０００５】
上記従来例における課題は、水槽の重量が重いということであった。
【０００６】
すなわち、従来の物においては、水槽に直接取っ手を回転自在に連結したので、取っ手を持って水の溜まった水槽を本体ケースから引き出し運ぶ場合に、取っ手と水槽の連結部に衝撃がかかり、特に水槽の連結部分に衝撃による亀裂が発生し易かった。
【０００７】
そこで、従来は水槽の連結部分の厚みを厚くしたり、リブを付けて強度を高めていたが、水槽の強度の弱い部分、すなわち、薄い部分があると応力集中が起こり、結果として衝撃による亀裂が発生してしまうため、水槽の厚みを一様に厚くしていた。
【０００８】
そこで本発明は、水槽の厚みを薄くして軽量化を図ることを目的とするものである。
【課題を解決するための手段】
【０００９】
そしてこの目的を達成するために本発明は、吸気口と排気口を有する本体ケースと、この本体ケース内に設けられた除湿手段と、この除湿手段の下部に設けたドレン手段を備え、このドレン手段は上部が開口した箱状の水槽と、この水槽の中央部に前記水槽の底面と両側面を覆うコの字状の固定枠と、この固定枠の両端付近に回転自在に設けた取っ手部と、前記水槽の上部開口に着脱可能に設けられた蓋部とから形成し、前記ドレン手段は前記本体ケースの側面の開口より着脱可能で、前記固定枠はポリオレフィン系樹脂であり、これにより、初期の目的を達成するものである。
【発明の効果】
【００１０】
以上のように本発明は、吸気口と排気口を有する本体ケースと、この本体ケース内に設けられた除湿手段と、この除湿手段の下部に設けたドレン手段を備え、このドレン手段は上部が開口した箱状の水槽と、この水槽の中央部に前記水槽の底面と両側面を覆うコの字状の固定枠と、この固定枠の両端付近に回転自在に設けた取っ手部と、前記水槽の上部開口に着脱可能に設けられた蓋部とから形成し、前記ドレン手段は前記本体ケースの側面の開口より着脱可能で、前記固定枠はポリオレフィン系樹脂であることにより、水槽の厚みを薄くして軽量化を図ることができるものである。
【００１１】
すなわち、取っ手と水槽とを固定枠を介して連結したので、取っ手からの衝撃は取っ手と固定枠との連結部に伝わり、更に、固定枠と水槽との連結部に伝わることとなる。
【００１２】
まず、固定枠はポリオレフィン系樹脂なので衝撃が加わると変形することで衝撃を吸収するので亀裂の発生が抑制されている。
【００１３】
次に、固定枠は水槽の底面と両側面を覆うようにコの字形状に固定されるので、水槽によってコの字形状が維持されると共に、取っ手から固定枠を介して固定枠と水槽との連結部に伝わった衝撃は水槽の底面と両側面の面で受けるので、応力集中が起こりにくく、結果として衝撃による亀裂が発生しにくくなる。
【００１４】
これらの結果により、水槽の厚みを薄くして軽量化を図ることができるものである。
【発明を実施するための最良の形態】
【００１５】
以下、本実施形態を添付図面を用いて説明する。
【００１６】
（実施の形態１）
図１に示すように、本実施形態の除湿装置は、吸気口１と排気口２を有する本体ケース３と、この本体ケース３内に設けられたヒートポンプ４とを備えている。このヒートポンプ４は、圧縮機５と、放熱器６、膨張手段７、吸熱器８とにより形成している。送風手段９によって、吸気口１から本体ケース３内に吸気した空気は、放熱器６、吸熱器８を順次介して排気口２へと送風される。送風手段９の風路であって放熱器６と吸熱器８の間には、回動自在に除湿ローター１０を設けており、この除湿ローター１０は放湿部１１と吸湿部１３を備えている。
【００１７】
放湿部１１は放熱器６と吸熱器８の間の風路に、吸湿部１３は吸熱器８と排気口２の間の風路に設けられており、放熱器６と放湿部１１の間には加熱手段であるヒーター１２を設けた構成としている。
【００１８】
すなわち、除湿手段はヒートポンプ４、除湿ローター１０、およびヒーター１２により形成されている。
【００１９】
以上の構成による除湿動作について説明する。送風手段９によって吸気口１から本体ケース３内に吸気した空気は、放熱器６で加熱された後にヒーター１２で更に加熱され、高温で相対湿度の低い空気となり、除湿ローター１０の放湿部１１へ送風される。この放湿部１１に送風された空気は、放湿部１１の湿気を取り込み湿度の高い状態となって吸熱器８へ送られる。この吸熱器８で結露させて除湿し、吸湿部１３に達する。そこで、乾燥状態となった除湿ローター１０の放湿部１１が駆動手段１４によって回転し、吸湿部１３となり、この吸湿部１３では吸熱器８で除湿されなかった湿度を吸湿し除湿している。吸熱器により結露した結露水はドレン手段１５に回収される。
【００２０】
本実施形態における特徴は、図２および図３に示すように、この除湿手段の下部に位置し、本体ケース３の側面の開口より着脱可能であるドレン手段１５の構成である。ドレン手段１５は水槽１６と取っ手部１７と固定枠１８とから形成され、水槽１６と取っ手部１７とは固定枠１８を介し固定されている。また、水槽１６の上部開口には着脱可能に蓋部１９を備えている。
【００２１】
まず、水槽１６と固定枠１８との固定構造は、上部が開口した箱状の水槽１６の中央部に、水槽１６の底面と両側面を覆うようにコの字状の固定枠１８が固定されている。
【００２２】
すなわち、水槽１６の中央部で水槽１６の底面と両側面に設けた溝部２０に勘合し、この溝部２０に設けられた複数の爪部２１により固定される。この水槽１６に設けられた爪部２１は水槽１６の両側面溝部２０の片側に設けられ、爪部２１は水槽１６が本体ケース３の側面の開口より装着された場合に、手前側に位置する側面溝部２０に設けられている。
【００２３】
このように、水槽１６の中央部で水槽１６の底面と両側面に設けた溝部２０に固定枠１８を固定することにより、取っ手部１７を持って水の溜まった水槽１６を運ぶ時に、水槽１６のバランスを容易にとることが出来る。
【００２４】
また、このように、水槽１６の両側面溝部２０の片側に爪部２１を設けることにより、水槽１６に固定枠１８を固定する時に、一方向から固定枠１８を水槽１６の爪部２１に嵌めこむことで水槽１６に固定枠１８を固定できるため、水槽１６への固定枠１８の固定が容易に出来る。
【００２５】
また、このように、水槽１６に設けられた爪部２１は水槽１６が本体ケース３の側面の開口より装着された場合に、手前側に位置する側面溝部２０に設けられているので、水槽１６に溜まった水を排水する為に取っ手部１７を持て引き出す場合に、固定枠１８を水槽１６の爪部２１に嵌めこむ方向に力が働くので、固定枠１８は水槽１６から外れにくいものである。なお、排水後に水槽１６を本体ケース３に挿入する場合は、取っ手部１７を使わずに水槽１６の側面を押して本体ケース３に装着するので、固定枠１８が水槽１６の爪部２１からはずれる方向に力が働くことはない。
【００２６】
次に、図４に示すように固定枠１８と取っ手部１７との固定構造は、固定枠１８の両端付近の取っ手保持孔部１８ａに、取っ手部１７が取っ手軸部１７ａと取っ手保持部１７ｂとを介して回転自在に設けられている。
【００２７】
具体的には、取っ手部１７は略Ｕの字状で両端付近の外面側に円柱形状の取っ手軸部１７ａと、この取っ手軸部１７ａの先端には取っ手保持部１７ｂを備えている。この取っ手保持部１７ｂは円盤状の引掛り部と、この引掛り部の外周の一部に設けた略半円形状の抜け止め部とから形成されている。また、固定枠１８の両端付近には取っ手保持部１７ｂと同形状で、引掛り部が挿入可能な引掛り孔部と、抜け止め部が挿入可能な抜け止め孔部からなる取っ手保持孔部１８ａを備えており、この取っ手保持孔部１８ａには引掛り部が特定の角度のみで挿入可能である。取っ手保持孔部１８ａの抜け止め孔部は、引掛り孔部の下部に位置し、取っ手部１７が水平状態で取っ手保持部１７ｂを取っ手保持孔部１８ａに挿入可能であり、固定枠１８を水槽１６に装着すると抜け止め孔部は水槽によって塞がれる。
【００２８】
すなわち、固定枠１８の両端付近の取っ手保持孔部１８ａに、取っ手部１７の取っ手保持部１７ｂを特定の角度で挿入した後、固定枠１８を水槽１６に装着すると、抜け止め孔部は水槽１６によって塞がれることになり、固定枠１８の孔は引掛り孔部のみとなる。結果として、取っ手部１７の抜け止め部が固定枠１８の引掛り孔部に引っかかり抜けなくなるので、取っ手部１７が外れなくなる。
【００２９】
このように、取っ手部１７が水槽１６に固定した固定枠１８から外れなくなるので、水槽１６に溜まった水を排水する為に取っ手部１７を持て運ぶ場合に、取っ手部１７から水槽１６が外れ、水がこぼれることがなくなる。
【００３０】
固定枠１８はポリオレフィン系樹脂である。具体的には、固定枠１８の材質はポリプロピレン（ＰＰ）またはポリスチレン（ＰＳ）である。
【００３１】
このように、固定枠１８はポリオレフィン系樹脂であるので、固定枠１８に衝撃が伝わった場合、変形することで衝撃を吸収するので亀裂が発生が抑制されている。
【００３２】
また、固定枠１８の前記取っ手保持孔部１８ａの周囲厚みが、他の固定枠の厚みより分厚いものである。
【００３３】
これにより、固定枠１８の取っ手保持孔部１８ａ周囲の強度が増すので、更に、衝撃による亀裂の発生が起こりにくくなる。
【００３４】
また、図５に示すように固定枠１８の水槽１６の底面を覆う部分に複数のリブ２２を備えたものである。このリブ２２の方向は水槽１６の引き出す方向と同じである。
【００３５】
これにより、水槽１６を引き出す場合に、水槽１６と本体ケース３との接触面積が小さくなるので、接触抵抗が小さくなり、水槽１６を容易に引き出すことが出来る。
【００３６】
水槽１６の材質はアクリロニトリルブタジエンスチレン（ＡＢＳ）、ゼネラルパーパスポリスチレン（ＧＰＰＳ）またはポリスチレン（ＰＳ）である。
【００３７】
このように、水槽１６の材質をアクリロニトリルブタジエンスチレン（ＡＢＳ）、ゼネラルパーパスポリスチレン（ＧＰＰＳ）またはポリスチレン（ＰＳ）にすることにより、外側から水槽１６を介して、水槽内に溜まった水を確認することが出来るので、本体ケース３の側面の開口よりドレン手段１５である水槽１６を引き出さずに水槽内に溜まった水を確認することが出来る。
【００３８】
取っ手部１７の材質はアクリロニトリルブタジエンスチレン（ＡＢＳ）である。
【００３９】
これにより、取っ手部１７を固定枠１８に装着する時に、取っ手部１７を変形させて固定枠１８に装着することが出来るので、固定枠１８への取っ手部１７の装着が容易となる。
【産業上の利用可能性】
【００４０】
以上のように本発明は、吸気口と排気口を有する本体ケースと、この本体ケース内に設けられた除湿手段と、この除湿手段の下部に設けたドレン手段を備え、このドレン手段は上部が開口した箱状の水槽と、この水槽の中央部に前記水槽の底面と両側面を覆うコの字状の固定枠と、この固定枠の両端付近に回転自在に設けた取っ手部と、前記水槽の上部開口に着脱可能に設けられた蓋部とから形成し、前記ドレン手段は前記本体ケースの側面の開口より着脱可能で、前記固定枠はポリオレフィン系樹脂であり、水槽の厚みを薄くして軽量化を図るものである。
【００４１】
すなわち、取っ手と水槽とを固定枠を介して連結したので、取っ手からの衝撃は取っ手と固定枠との連結部に伝わり、更に、固定枠と水槽との連結部に伝わることとなる。
【００４２】
まず、固定枠はポリオレフィン系樹脂なので衝撃が加わると変形することで衝撃を吸収するので亀裂が発生が抑制されている。
【００４３】
次に、固定枠は水槽の底面と両側面を覆うようにコの字形状に固定されるので、水槽によってコの字形状が維持されると共に、取っ手から固定枠を介して固定枠と水槽との連結部に伝わった衝撃は水槽の底面と両側面の面で受けるので、応力集中が起こりにくく、結果として衝撃による亀裂が発生しにくくなる。
【００４４】
これらの結果により、水槽の厚みを薄くして軽量化を図ることができるものである。
【００４５】
従って、家庭用や事務所用などの、除湿装置として活用が期待されるものである。
【図面の簡単な説明】
【００４６】
【図１】本発明の実施の形態１の除湿装置の概略断面図
【図２】本発明の実施の形態１の除湿装置の斜視図
【図３】本発明の実施の形態１のドレン手段の斜視図
【図４】本発明の実施の形態１のドレン手段の分解図
【図５】本発明の実施の形態１のドレン手段の斜視図
【符号の説明】
【００４７】
１      吸気口
２      排気口
３      本体ケース
４      ヒートポンプ
５      圧縮機
６      放熱器
７      膨張手段
８      吸熱器
９      送風手段
１０    除湿ローター
１１    放湿部
１２    ヒーター
１３    吸湿部
１４    駆動手段
１５    ドレン手段
１６    水槽
１７    取っ手部
１７ａ  取っ手軸部
１７ｂ  取っ手保持部
１８    固定枠
１８ａ  取っ手保持孔部
１９    蓋部
２０    溝部
２１    爪部
２２    リブ
【図１】
2010099548.tif 000003
【図２】
2010099548.tif 000004
【図３】
2010099548.tif 000005
【図４】
2010099548.tif 000006
【図５】
2010099548.tif 000007